(57)【要約】【課題】マイク取付部からの漏れ光を規制し、マイクの集音性を高めること。【解決手段】発光ダイオード７Ｌが搭載された基板７の少なくとも一部を覆って配置される本体部２１と、本体部２１の表面２１ａに配置された突起部２３とを有するレンズ部材２０と、本体部２１の表面２１ａに突起部２３と並んで配置され、ブッシュ５２で外周を覆われたマイク５０とを備え、突起部２３は、先端部が、本体部２１を間に挟んで基板７と向かい合って配置された内側パネル５に形成されたレンズ用孔５ｃから露出し、マイク５０は、本体部２１とパネル３とに挟まれて、ブッシュ５２が圧縮された状態で配置され、マイク本体５１の一方の端面５１ａが、内側パネル５にレンズ用孔５ｃと並んで形成されたマイク用孔５ｄから露出する。【選択図】図２
2018018705.tif 000002
【特許請求の範囲】
【請求項１】
発光部が搭載された基板の少なくとも一部を覆って配置される本体部と、前記本体部における前記基板と向かい合う面と反対側の面に配置された突起部とを有するレンズ部材と、
前記本体部における前記基板と向かい合う面と反対側の面に、前記突起部と並んで配置され、弾性体で外周を覆われたマイクと
を備え、
前記突起部は、先端部が、前記本体部を間に挟んで前記基板と向かい合って配置されるパネル部材に形成された第一孔から露出し、
前記マイクは、前記本体部と前記パネル部材とに挟まれて、前記弾性体が圧縮された状態で配置され、先端部が、前記パネル部材に前記第一孔と並んで形成された第二孔から露出することを特徴とするレンズマイクユニット。
【請求項２】
前記本体部に配置され、前記マイクの外周を保持するマイク保持部を備える請求項１に記載のレンズマイクユニット。
【請求項３】
前記本体部から前記基板に向かって立設された脚部に配置され、前記マイクに接続された電線を保持する電線保持部を備え
前記マイク保持部は、前記電線を引き出す電線引出部を有し、
前記電線は、前記電線引出部から引き出され、前記本体部において、斜めに配線される請求項２に記載のレンズマイクユニット。
【請求項４】
前記マイク保持部は、前記本体部から前記パネル部材に向かって突設されたリブである請求項２または３に記載のレンズマイクユニット。
【請求項５】
前記電線保持部は、フック状に形成されている請求項３に記載のレンズマイクユニット。
【請求項６】
発光部が搭載された基板と、
前記基板と向かい合って配置され、第一孔と、前記第一孔と並んで形成された第二孔とを有するパネル部材と、
前記基板の少なくとも一部を覆って配置された本体部と、前記本体部における前記基板と向かい合う面と反対側の面に配置された突起部とを有するレンズ部材と、
前記本体部における前記基板と向かい合う面と反対側の面に、前記突起部と並んで配置され、弾性体で外周を覆われたマイクと
を備え、
前記本体部は、前記基板と前記パネル部材との間に位置し、
前記突起部は、先端部が、前記第一孔から露出し、
前記マイクは、前記本体部と前記パネル部材とに挟まれて、前記弾性体が圧縮された状態で配置され、先端部が、前記第二孔から露出することを特徴とする電子機器。
【発明の詳細な説明】
【技術分野】
【０００１】
本発明は、レンズマイクユニットおよび電子機器に関する。
【背景技術】
【０００２】
電子機器には、動作状態などを光で通知する標示灯や、音声を集音するマイクを配置することがある。標示灯については、電子機器の本体カバーの内側に配置されたＬＥＤと、ＬＥＤからの光を本体カバーの外側に向かって案内するライトガイドとを備えることが知られている（例えば、特許文献１参照）。マイクについては、弾性素材で構成され、マイクの集音面前面に開口部を有し、マイクを保持するマイク保持部材と、カメラのボディの内面に設けられて、開口部の内周面側に当接する成形部とを備えることが知られている（例えば、特許文献２参照）。
【先行技術文献】
【特許文献】
【０００３】
【特許文献１】特開２００４−２０６９０４号公報
【特許文献２】特開２００７−１９４７０８号公報
【発明の概要】
【発明が解決しようとする課題】
【０００４】
ところで、一つの電子機器に、標示灯とマイクとを近接して配置する場合、標示灯からの光が、マイク取付部からの漏れ光となるおそれがある。また、マイクは、集音性を高めるため、ノイズや音割れを抑制したいという要望がある。
【０００５】
本発明は、上記に鑑みてなされたものであって、マイク取付部からの漏れ光を規制し、マイクの集音性を高めたレンズマイクユニットおよび電子機器を提供することを目的とする。
【課題を解決するための手段】
【０００６】
上述した課題を解決し、目的を達成するために、本発明に係るレンズマイクユニットは、発光部が搭載された基板の少なくとも一部を覆って配置される本体部と、前記本体部における前記基板と向かい合う面と反対側の面に配置された突起部とを有するレンズ部材と、前記本体部における前記基板と向かい合う面と反対側の面に、前記突起部と並んで配置され、弾性体で外周を覆われたマイクとを備え、前記突起部は、先端部が、前記本体部を間に挟んで前記基板と向かい合って配置されるパネル部材に形成された第一孔から露出し、前記マイクは、前記本体部と前記パネル部材とに挟まれて、前記弾性体が圧縮された状態で配置され、先端部が、前記パネル部材に前記第一孔と並んで形成された第二孔から露出することを特徴とする。
【０００７】
上述した課題を解決し、目的を達成するために、本発明に係る電子機器は、発光部が搭載された基板と、前記基板と向かい合って配置され、第一孔と、前記第一孔と並んで形成された第二孔とを有するパネル部材と、前記基板の少なくとも一部を覆って配置された本体部と、前記本体部における前記基板と向かい合う面と反対側の面に配置された突起部とを有するレンズ部材と、前記本体部における前記基板と向かい合う面と反対側の面に、前記突起部と並んで配置され、弾性体で外周を覆われたマイクとを備え、前記本体部は、前記基板と前記パネル部材との間に位置し、前記突起部は、先端部が、前記第一孔から露出し、前記マイクは、前記本体部と前記パネル部材とに挟まれて、前記弾性体が圧縮された状態で配置され、先端部が、前記第二孔から露出することを特徴とする。
【発明の効果】
【０００８】
本発明によれば、マイク取付部からの漏れ光を規制し、マイクの集音性を高めることができるという効果を奏する。
【図面の簡単な説明】
【０００９】
【図１】図１は、実施形態に係るレンズマイクユニットを有する電子機器を示す斜視図である。
【図２】図２は、実施形態に係るレンズマイクユニットを有する電子機器を示す部分拡大断面図である。
【図３】図３は、実施形態に係るレンズマイクユニットを示す正面図である。
【図４】図４は、実施形態に係るレンズマイクユニットを示す斜視図である。
【図５】図５は、実施形態に係るレンズマイクユニットのレンズ部材を示す斜視図である。
【図６】図６は、実施形態に係るレンズマイクユニットのマイクを示す斜視図である。
【発明を実施するための形態】
【００１０】
以下に添付図面を参照して、本発明に係るレンズマイクユニット１０を備えた電子機器１の実施形態を詳細に説明する。なお、以下の実施形態により本発明が限定されるものではない。
【００１１】
図１は、実施形態に係るレンズマイクユニットを有する電子機器を示す斜視図である。図２は、実施形態に係るレンズマイクユニットを有する電子機器を示す部分拡大断面図である。電子機器１は、例えば、ＡＶ一体型のカーナビゲーションシステムまたはカーオーディオなどである。
【００１２】
図１、図２を用いて、電子機器１を説明する。電子機器１は、運転席に面した正面に配置されたディスプレイパネル２と、ディスプレイパネル２の外周を覆う箱形のパネル(パネル部材)３と、ディスプレイパネル２の側方に配置された操作部６と、パネル３内に収容された基板７と、パネル３と向かい合って配置されたサブパネル８と、レンズマイクユニット１０とを有する。
【００１３】
図１を用いて、ディスプレイパネル２を説明する。ディスプレイパネル２は、例えば、液晶ディスプレイ（ＬＣＤ：Ｌｉｑｕｉｄ  Ｃｒｙｓｔａｌ  Ｄｉｓｐｌａｙ）又は有機ＥＬ（Ｏｒｇａｎｉｃ  Ｅｌｅｃｔｒｏ−Ｌｕｍｉｎｅｓｃｅｎｃｅ）ディスプレイを含むディスプレイである。ディスプレイパネル２は、基板７から出力された映像信号に基づいて、映像を表示する。ディスプレイパネル２は、正面が運転席と向かい合って配置される。ディスプレイパネル２は、表面にタッチパネルが配置されている。ディスプレイパネル２は、表示された操作画面を介して、操作を検出し基板７に出力する。
【００１４】
図２を用いて、パネル３を説明する。パネル３は、基板７と向かい合って配置される。パネル３は、運転席に面して露出する外側パネル４と、外側パネル４の内周面４ｄに配置された内側パネル５とを有する。パネル３は、図示しない駆動機構によって、サブパネル８に対してチルト動作し、開閉する。
【００１５】
図１に戻って、外側パネル４を説明する。外側パネル４は、板材で箱形に形成されている。外側パネル４は、ディスプレイパネル２を露出させるディスプレイ用孔４ａと、操作部６を露出させる操作部用孔４ｂと、レンズマイクユニット１０を露出させるレンズマイク用孔４ｃとを有する。ディスプレイ用孔４ａは、ディスプレイパネル２に対応して矩形状に形成されている。ディスプレイ用孔４ａは、運転席に面した正面に配置される。操作部用孔４ｂは、操作部６に対応して矩形状に形成されている。操作部用孔４ｂは、正面から見て、ディスプレイ用孔４ａの右側に配置されている。レンズマイク用孔４ｃは、上下方向に長い楕円形状に形成されている。レンズマイク用孔４ｃは、操作部用孔４ｂの下方に配置されている。このように構成された外側パネル４は、内側パネル５を覆って配置されている。外側パネル４のレンズマイク用孔４ｃの外周は、内側パネル５と接着されている。
【００１６】
図１、図２に戻って、内側パネル５を説明する。内側パネル５は、板材で箱形に形成されている。内側パネル５は、外側パネル４の内周面４ｄに接着されている。内側パネル５には、ディスプレイパネル２を露出させるディスプレイ用孔５ａと、操作部６を露出させる操作部用孔５ｂと、レンズマイクユニット１０のレンズ部材２０の突起部２３を露出させるレンズ用孔（第一孔）５ｃと、レンズマイクユニット１０のマイク５０を露出させるマイク用孔（第二孔）５ｄと、レンズマイクユニット１０を収容するユニット用リブ５ｅとを有する。
【００１７】
ディスプレイ用孔５ａは、ディスプレイパネル２に対応して矩形状に形成されている。ディスプレイ用孔５ａは、外側パネル４のディスプレイ用孔４ａと重なって配置されている。操作部用孔５ｂは、操作部６に対応して矩形状に形成されている。操作部用孔５ｂは、外側パネル４の操作部用孔４ｂと重なって配置されている。
【００１８】
図３を用いて、レンズ用孔５ｃとマイク用孔５ｄとについて説明する。図３は、実施形態に係るレンズマイクユニットを示す正面図である。レンズ用孔５ｃは、レンズマイクユニット１０のレンズ部材２０の突起部２３に対応して円形に形成されている。レンズ用孔５ｃは、外側パネル４のレンズマイク用孔４ｃの上側と重なって配置されている。マイク用孔５ｄは、レンズマイクユニット１０のマイク５０（図２参照）に対応して円形に形成されている。より詳しくは、マイク用孔５ｄは、レンズマイクユニット１０のマイク５０のブッシュ５２の外径より小さい内径を有する。マイク用孔５ｄは、外側パネル４のレンズマイク用孔４ｃの下側と重なって配置されている。マイク用孔５ｄは、レンズ用孔５ｃと並んで配置されている。マイク用孔５ｄは、レンズ用孔５ｃの下方に配置されている。
【００１９】
ユニット用リブ５ｅは、レンズマイクユニット１０を位置決めする。ユニット用リブ５ｅは、レンズマイクユニット１０の外周より大きい直方体状の筒型に形成されている。ユニット用リブ５ｅは、内側パネル５の内周面５ｆから突設されている。
【００２０】
図１に戻って、操作部６を説明する。操作部６は、電子機器１に対する操作を入力する複数のボタンを含む。操作部６は、各ボタンに対する操作を検出し基板７に出力する。操作部６は、ディスプレイパネル２に表示された操作画面に画像として表示させるタッチパネルとしてもよい。
【００２１】
図２に戻って、基板７を説明する。基板７は、板状のプリント基板である。より詳しくは、基板７は、絶縁体で形成された板材上に配置した、例えば、集積回路、抵抗器、コンデンサ、トランジスタ、発光ダイオード（ＬＥＤ：Ｌｉｇｈｔ  Ｅｍｉｔｔｉｎｇ  Ｄｉｏｄｅ）（発光部）７Ｌなどの電子部品を、電気的に接続し構成されている。基板７は、電子機器１の各部に制御信号を出力する。基板７は、パネル３と向かい合って配置される。基板７は、電子機器１の正面から見て右側、言い換えると、操作部６およびレンズマイクユニット１０と向かい合う位置に配置される。
【００２２】
発光ダイオード７Ｌは、例えば、電子機器１の盗難防止装置が作動していることを報知するために、車両のエンジン停止時に点滅する。このため、発光ダイオード７Ｌは、車両の外側からでも視認可能な、輝度および視野角を有する。
【００２３】
図１に戻って、サブパネル８を説明する。サブパネル８は、直方体状の箱形に形成されている。サブパネル８は、パネル３と向かい合って配置される。サブパネル８は、車両直進時の進行方向と平行な前後方向と直交する平面に配置される。サブパネル８には、記憶媒体を読み取る、図示しないメディアスロットが配置されている。
【００２４】
図４ないし図６を用いて、レンズマイクユニット１０について説明する。図４は、実施形態に係るレンズマイクユニットを示す斜視図である。図５は、実施形態に係るレンズマイクユニットのレンズ部材を示す斜視図である。図６は、実施形態に係るレンズマイクユニットのマイクを示す斜視図である。レンズマイクユニット１０は、発光ダイオード７Ｌの輝度および視野角を、車両の外側からでも視認可能にするとともに、音声を集音する。レンズマイクユニット１０は、レンズ部材２０と、マイク保持部３０と、電線保持部４０と、マイク５０とを有する。
【００２５】
図４、図５を用いて、レンズ部材２０を説明する。レンズ部材２０は、基板７に配置された発光ダイオード７Ｌの輝度および視野角を、車両の外側からでも視認可能にするレンズである。より詳しくは、レンズ部材２０は、基板７の発光ダイオード７Ｌの発光の輝度を上げる。また、レンズ部材２０は、基板７の発光ダイオード７Ｌの発光を拡散させることで視野角を広げる。レンズ部材２０は、直方体状の箱形に形成されている。レンズ部材２０は、透明なポリエチレンテレフタレート（Ｐｏｌｙｅｔｈｙｌｅｎｅ  Ｔｅｒｅｐｈｔｈａｌａｔｅ：ＰＥＴ）樹脂などの樹脂材で構成されている。レンズ部材２０は、矩形状の本体部２１と、本体部２１の端部から立設された４つの脚部２２と、突起部２３とを有する。
【００２６】
本体部２１は、平板状に形成されている。４つの脚部２２は、それぞれ平板状に形成されている。本体部２１と４つの脚部２２とで、本体部２１と向かい合う面が開口した箱形に形成されている。
【００２７】
突起部２３は、発光ダイオード７Ｌの発光を、パネル３の外側に導出する。突起部２３の軸方向は、発光ダイオード７Ｌからパネル３の外側に進む光の光軸と一致する。突起部２３は、本体部２１のパネル３と向かい合う表面（基板７と向かい合う面と反対側の面）２１ａに突設されている。言い換えると、図２に示すように、突起部２３は、組み付け状態で、パネル３に向かって突設されている。突起部２３の本体部２１からの高さは、マイク５０のブッシュ５２の本体部２１からの高さより高い。突起部２３の本体部２１からの高さは、組み付け状態で、先端部がパネル３から突出しない高さである。より詳しくは、突起部２３の本体部２１からの高さは、組み付け状態で、先端部が内側パネル５のレンズ用孔５ｃから突出し、外側パネル４のレンズマイク用孔４ｃから突出しない高さである。
【００２８】
このように構成されたレンズ部材２０は、組み付け状態で、基板７の発光ダイオード７Ｌの少なくとも一部を覆って配置される。
【００２９】
図４、図５に戻って、マイク保持部３０を説明する。マイク保持部３０は、マイク５０の外周を保持する。マイク保持部３０は、レンズ部材２０と一体に、レンズ部材２０の本体部２１の表面２１ａに形成されている。マイク保持部３０は、円柱状に形成されたリブ３１と、マイク５０の電線５４を引き出す切欠部（電線引出部）３２とを有する。
【００３０】
リブ３１は、マイク５０の外周を保持する。リブ３１は、本体部２１の表面２１ａに突設されている。リブ３１は、マイク５０のブッシュ（弾性体）５２の外径より小さい内径を有する円柱状に形成されている。言い換えると、リブ３１は、マイク５０のブッシュ５２と嵌合する。リブ３１の軸方向は、レンズ部材２０の突起部２３の軸方向と平行である。リブ３１の本体部２１の表面２１ａからの高さは、マイク５０のブッシュ５２の本体部２１の表面２１ａからの高さより低い。切欠部３２は、マイク５０の電線５４が引き出し可能な大きさにリブ３１の外周の一部を切り欠いて形成されている。本実施形態では、切欠部３２は、図５において、リブ３１の右上部に形成されている。
【００３１】
電線保持部４０は、マイク５０に接続された電線５４を保持する。電線保持部４０は、レンズ部材２０と一体に、レンズ部材２０の１つの脚部２２に配置されている。電線保持部４０は、略Ｌ字型のフック状に形成されている。電線保持部４０は、脚部２２との間に形成されたスペースＳに電線５４を保持する。本実施形態では、電線保持部４０は、図５において、マイク保持部３０の切欠部３２より上方に配置されている。
【００３２】
図４、図６を用いて、マイク５０を説明する。マイク５０は、運転者などの音声を集音して、音声信号を基板７に出力する。マイク５０は、マイク本体５１と、ブッシュ５２と、電線５４と、コネクタ５５とを有する。
【００３３】
マイク本体５１は、円柱状に形成されている。マイク本体５１は、一方の端面５１ａに集音部が配置されている。ブッシュ５２は、マイク本体５１の外周を覆って配置されている。ブッシュ５２は、マイク本体５１の外径より小さい内径を有する円柱状に形成されている。言い換えると、ブッシュ５２は、マイク本体５１と嵌合する。ブッシュ５２は、例えば、ゴムなどの弾性部材で構成されている。ブッシュ５２には、電線５４を引き出す切欠部５３が形成されている。切欠部５３は、ブッシュ５２の一方の端面５２ａ側に形成されている。より詳しくは、切欠部５３は、ブッシュ５２の一方の端面５２ａ側から、ブッシュ５２の軸方向に沿って所定長さの矩形状に形成されている。切欠部５３は、電線５４が引き出し可能な大きさ、形状に形成されている。電線５４は、マイク本体５１の他方の端面５１ｂに半田付けされている。コネクタ５５は、電線５４の先端部に配置されている。コネクタ５５は、基板７上に配置された、図示しないマイク用コネクタ受部に接続される。
【００３４】
次に、このように構成されたレンズマイクユニット１０の組み付け方法および作用について説明する。
【００３５】
まず、図４に示すように、作業者は、レンズ部材２０にマイク５０を組み付けて、レンズマイクユニット１０とする。より詳しくは、作業者は、マイク５０の電線５４が、マイク保持部３０のリブ３１に形成された切欠部３２から引き出されるように位置合わせした状態で、マイク保持部３０のリブ３１とマイク５０のブッシュ５２とを嵌合させる。そして、作業者は、マイク保持部３０の切欠部３２から引き出されたマイク５０の電線５４を、電線保持部４０で保持させる。このようにして、レンズ部材２０とマイク５０とが、レンズマイクユニット１０として組み付けられる。
【００３６】
本実施形態では、マイク保持部３０の切欠部３２がリブ３１の右上部に形成され、電線保持部４０がマイク保持部３０の切欠部３２より上方に配置されている。このため、マイク保持部３０の切欠部３２から引き出されたマイク５０の電線５４は、レンズ部材２０の本体部２１に沿って、右上に向かって斜めに配線される。そして、電線５４は、レンズ部材２０の本体部２１と、電線保持部４０が配置されたレンズ部材２０の１つの脚部２２との角部に当接して、角部に沿って曲げられる。そして、電線５４は、電線保持部４０で保持される。このように、マイク保持部３０の切欠部３２から引き出されたマイク５０の電線５４は、レンズ部材２０の本体部２１において斜めに配線される。このため、マイク５０の電線５４は、レンズ部材２０の本体部２１において右方に水平方向に沿って配線される場合に比べて、本体部２１に沿う部分が長くなる。言い換えると、レンズ部材２０の本体部２１に沿って配線されたマイク５０の電線５４が曲げられる角部までの長さが長くなる。これにより、マイク５０の電線５４や半田接合部に作用する応力が低減されている。
【００３７】
つづいて、作業者は、組み付けられたレンズマイクユニット１０を電子機器１へ組み付ける。より詳しくは、作業者は、レンズマイクユニット１０を、パネル３の内側パネル５のユニット用リブ５ｅに収容する。そして、作業者は、パネル３を基板７に近づける。そして、作業者は、レンズマイクユニット１０のマイク５０のコネクタ５５を、基板７のマイク用コネクタ受部に差し込む。
【００３８】
そして、作業者は、パネル３と基板７とを位置合わせする。パネル３と基板７とが位置合わせされた状態では、ユニット用リブ５ｅに収容されたレンズマイクユニット１０が、基板７に搭載された発光ダイオード７Ｌを覆うように配置される。そして、作業者は、パネル３と基板７とを締結部材で固定する。これにより、レンズマイクユニット１０は、パネル３と基板７とで挟持され、固定される。このようにして、レンズマイクユニット１０が電子機器１へ組み付けられる。
【００３９】
図２に戻って、レンズマイクユニット１０が電子機器１へ組み付けられた、組み付け状態における、レンズマイクユニット１０について説明する。レンズマイクユニット１０は、パネル３と基板７とで挟持されている。より詳しくは、マイク５０のブッシュ５２は、パネル３で基板７側に押圧されている。また、レンズ部材２０は、脚部２２の先端部２２ａが、基板７でパネル３側に押圧されている。これにより、マイク５０のブッシュ５２は、パネル３とレンズ部材２０とで押圧され圧縮されている。圧縮されたマイク５０のブッシュ５２は、パネル３とレンズ部材２０とに密着している。より詳しくは、マイク５０のブッシュ５２の一方の端面５２ａは、内側パネル５の内周面５ｆにおいて、マイク用孔５ｄの外周と密着している。マイク５０のブッシュ５２の他方の端面５２ｂは、レンズ部材２０の本体部２１の表面２１ａと密着している。また、マイク５０のブッシュ５２は、圧縮されることで高密度になっている。これにより、マイク５０のブッシュ５２は、内側パネル５の内周面５ｆにおいて、マイク用孔５ｄの外周を隙間なく囲んでいる。このため、パネル３のマイク用孔５ｄにおいて、基板７の発光ダイオード７Ｌの漏れ光が遮断される。
【００４０】
上述したように、本実施形態によれば、マイク５０のブッシュ５２は、パネル３とレンズ部材２０とで押圧され圧縮されて、パネル３とレンズ部材２０とに密着している。より詳しくは、マイク５０のブッシュ５２の一方の端面５２ａは、内側パネル５の内周面５ｆにおいて、マイク用孔５ｄの外周と密着している。マイク５０のブッシュ５２の他方の端面５２ｂは、レンズ部材２０の本体部２１の表面２１ａと密着している。また、マイク５０のブッシュ５２は、圧縮されることで高密度になっている。これにより、本実施形態によれば、マイク５０のブッシュ５２で、内側パネル５の内周面５ｆにおいて、マイク用孔５ｄの外周を隙間なく囲むことができる。このため、本実施形態は、レンズ用孔５ｃと並んで配設されているマイク用孔５ｄにおける、基板７の発光ダイオード７Ｌの漏れ光を遮断することができる。
【００４１】
本実施形態によれば、マイク５０のブッシュ５２は、パネル３とレンズ部材２０とで押圧され圧縮されて、パネル３とレンズ部材２０とに密着している。また、マイク５０のブッシュ５２は、圧縮されることで高密度になっている。さらにまた、外側パネル４のレンズマイク用孔４ｃの外周は、内側パネル５と接着されている。このため、本実施形態によれば、マイク５０を、内側パネル５の内周面５ｆにおいて、マイク５０のブッシュ５２で周囲を覆われ、気密性の高い空間に配置することができる。このように、本実施形態によれば、マイク５０の集音性を向上することができる。
【００４２】
本実施形態によれば、マイク保持部３０の切欠部３２から引き出されたマイク５０の電線５４は、レンズ部材２０の本体部２１に沿って右上に斜めに配線される。これにより、本実施形態によれば、マイク５０の電線５４は、レンズ部材２０の本体部２１において右方に水平方向に沿って配線される場合に比べて、本体部２１に沿う部分を長くすることができる。言い換えると、本実施形態は、マイク５０の電線５４が曲げられる角部までの長さを長くすることができる。このため、本実施形態は、電線５４とマイク本体５１との半田付け部に作用する応力を低減することができる。
【００４３】
これに対して、例えば、電線５４がレンズ部材２０の本体部２１において右方に水平方向に沿って配線されている場合、マイク５０の電線５４が曲げられる角部までの長さが短くなる。これにより、電線５４のマイク５０との半田付け部に作用する応力が増大する。このため、電線５４は、断線するおそれが高くなる。
【００４４】
しかしながら、本実施形態は、電線５４のマイク本体５１との半田付け部に作用する応力が低減されている。このため、例えば、組み付け作業時に、作業者がマイク本体５１や電線５４に触れた場合でも、電線５４の断線を抑制することができる。
【００４５】
本実施形態によれば、レンズマイクユニット１０の電子機器１への組み付け時、マイク５０の電線５４は、電線保持部４０で仮止めされている。言い換えると、レンズマイクユニット１０は、レンズ部材２０と、電線５４を含むマイク５０とがユニット化されている。このように、本実施形態は、レンズマイクユニット１０がユニット化されているため、電子機器１への組み付け時の取り扱いを容易にすることができる。これにより、本実施形態によれば、組み付け作業に要する時間と手間とを削減し、組み付け作業を効率化することができる。さらに、例えば、組み付け時、作業者が電線５４に触れた場合でも、電線５４が仮固定されているため、電線５４の振れによってマイク５０のブッシュ５２に応力が作用することを抑制することができる。
【００４６】
本実施形態によれば、レンズ部材２０に形成されたマイク保持部３０は、マイク５０のブッシュ５２と嵌合する。このため、レンズ部材２０とマイク５０とをレンズマイクユニット１０として、簡単に組み付けることができる。このように、本実施形態は、組み付け時のマイク５０のブッシュ５２の脱落を規制することができる。
【００４７】
さて、これまで本発明に係る電子機器１について説明したが、上述した実施形態以外にも種々の異なる形態にて実施されてよいものである。上記で説明したレンズマイクユニット１０の構成は、一例であり、これに限定されるものではない。
【００４８】
マイク保持部３０は、本体部２１から突起部２３と同じ方向に突設されたリブ３１であってもよいが、レンズ部材２０の本体部２１に円柱状に形成された溝であってもよい。この場合、マイク５０をマイク保持部３０の溝に嵌合させて組み付ける。
【００４９】
電線保持部４０は、レンズ部材２０の脚部２２に、マイク５０の電線５４を配線したい方向に沿って形成された溝であってもよい。この場合、マイク５０の電線５４を電線保持部４０の溝に嵌合させて組み付ける。
【００５０】
レンズ部材２０とマイク保持部３０とは一体的構成であってもよいが、マイク保持部３０を、ゴムや軟質樹脂などの摩擦係数の大きい材料で形成してもよい。これにより、マイク保持部３０とマイク５０のブッシュ５２との摩擦が増大する。このため、マイク保持部３０からのマイク５０の脱落をより確実に規制することができる。
【００５１】
レンズ部材２０と電線保持部４０とは一体的構成であってもよいが、電線保持部４０を、ゴムや軟質樹脂などの摩擦係数の大きい材料で形成してもよい。これにより、電線保持部４０とマイク５０の電線５４との摩擦が増大する。このため、電線保持部４０で、マイク５０の電線５４をより確実に保持することができる。
【符号の説明】
【００５２】
１        電子機器
２        ディスプレイパネル
３        パネル(パネル部材)
４        外側パネル
５        内側パネル
５ｃ      レンズ用孔（第一孔）
５ｄ      マイク用孔（第二孔）
６        操作部
７        基板
７Ｌ      発光ダイオード（発光部）
８        サブパネル
１０      レンズマイクユニット
２０      レンズ部材
２１      本体部
２２      脚部
２３      突起部
３０      マイク保持部
３１      リブ
３２      切欠部（電線引出部）
４０      電線保持部
５０      マイク
５１      マイク本体
５２      ブッシュ（弾性体）
５４      電線
【図１】
2018018705.tif 000003
【図２】
2018018705.tif 000004
【図３】
2018018705.tif 000005
【図４】
2018018705.tif 000006
【図５】
2018018705.tif 000007
【図６】
2018018705.tif 000008